(57)【要約】【課題】２つの表示画面の隣接方向に応じて、２次元表示または３次元表示を選択的に切り換える表示装置において、表示中の表示部を安定して支持する。【解決手段】隣接した２つの表示画面４３ａ、４３ｂを有する表示部４３を回転軸４７回りに９０°回転可能に支持する。この表示部４３の背面にロック用回転軸５１を設け、一端に表示部４３から外方に突出するロック用操作部５３、他端に基台４４の係合部４４ａに係合するロック部５５を設けたロック用レバー５２を軸支させる。【選択図】図４
2012095728.tif 000002
【特許請求の範囲】
【請求項１】
隣接する２つの表示画面を有する表示部を備え、右目用および左目用の２枚の撮影画像からなる３次元表示用の撮影画像のうち、一方の撮影画像を一方の表示画面、他方の撮影画像を他方の表示画面にそれぞれ表示し、両表示画面を結合させて表示する光学系を介して被写体の３次元表示を可能とし、前記表示部を回転軸の回りに９０°回転可能とし、前記２つの表示画面が上下方向に隣接した場合と左右方向に隣接した場合とで前記３次元表示と２次元表示とを切り換えるようにした表示装置であって、
前記表示部の背面に設けられた第２の回転軸に軸支されたロック用レバーと、
該ロック用レバーの一端に設けられ、前記表示部から外方に突出したロック操作部と、
前記ロック用レバーの他端に設けられたロック部と、
前記表示部を回転支持する回転支持機構の一部に前記ロック部に係合する係合部とを備えたことを特徴とする表示装置。
【請求項２】
前記ロック操作部が、前記２つの表示画面が左右方向に隣接する場合、前記回転支持機構の基台の一部に当接して前記表示部を支持する脚部となることを特徴とする請求項１記載の表示装置。
【請求項３】
前記撮影画像が医用放射線画像であることを特徴とする請求項１または２記載の表示装置。
【請求項４】
前記被写体が乳房であり、該乳房の胸壁が水平となるように前記２つの表示画面に前記３次元表示用の撮影画像をそれぞれ表示することにより、前記乳房を３次元表示することを特徴とする請求項３記載の表示装置。
【発明の詳細な説明】
【技術分野】
【０００１】
本発明は隣接する２つの表示画面を有する表示部を備えた表示装置に関する。より詳しくは、表示部を９０°回転可能にし、２つの表示画面の隣接方向に応じて、２次元表示と３次元表示とを切り換える表示装置に関する。
【背景技術】
【０００２】
従来、視差を有する２枚の撮影画像を表示することにより、被写体を３次元表示できることが知られている。特許文献１には、２つの表示画面を上下方向に隣接させ、一方の表示画面に右目用の撮影画像、他方の表示画像に左目用の撮影画像をそれぞれ表示し、両撮影画像を光学系によって結合させて被写体を３次元表示できる表示装置が提案されている。
【先行技術文献】
【特許文献】
【０００３】
【特許文献１】特表２００８−５２１０６４号公報
【発明の概要】
【発明が解決しようとする課題】
【０００４】
しかしながら、このような上下方向に隣接する２つの表示画面を有する表示部を備えた表示装置において、３次元表示と２次元表示とを選択的に表示させる場合、観察者によっては、２次元表示においては視線の高さを変えずに各表示画面を観察できるため、２つの表示画面を左右方向に隣接させたい場合があり得る。
【０００５】
このため、２つの表示画面が上下方向または左右方向のいずれかに隣接するよう、表示部を回転軸回りに９０°回転可能に支持し、２つの表示画面が上下方向に隣接する場合は３次元表示または左右方向に隣接する場合は２次元表示に選択的に切り換えることが考えられるが、表示中は重量の重い表示部を上下方向または左右方向の隣接状態を安定的に保持する必要がある。
【０００６】
本発明の目的は、上記事情に鑑み、２つの表示画面の隣接方向に応じて、２次元表示または３次元表示を選択的に表示できる表示装置において、表示中の表示部を安定して保持できる表示装置を提供する。
【課題を解決するための手段】
【０００７】
上記課題を解決するために、本発明による表示装置は、隣接する２つの表示画面を有する表示部を備え、右目用および左目用の２枚の撮影画像からなる３次元表示用の撮影画像のうち、一方の撮影画像を一方の表示画面、他方の撮影画像を他方の表示画面にそれぞれ表示し、両表示画面を結合させて表示する光学系を介して被写体の３次元表示を可能とし、表示部を回転軸の回りに９０°回転可能とし、２つの表示画面が上下方向に隣接した場合と左右方向に隣接した場合とで３次元表示と２次元表示とを切り換えるようにした表示装置であって、表示部の背面に設けられた第２の回転軸に軸支されたロック用レバーと、このロック用レバーの一端に設けられ、表示部から外方に突出したロック操作部と、ロック用レバーの他端に設けられたロック部と、表示部を回転支持する回転支持機構の一部に係合する係合部とを備えたことを特徴とする。
【０００８】
また、本発明による表示装置は、ロック操作部が、２つの表示画面が左右方向に隣接する場合、回転支持機構の基台の一部に当接して表示部を支持する脚部であってもよい。また、本発明による表示装置における撮影画像は医用放射線画像であってもよい。さらに、本発明による表示装置における被写体が乳房であり、この乳房の胸壁が水平となるように２つの表示画面に３次元表示用の撮影画像をそれぞれ表示することにより、乳房を３次元表示するものであってもよい。
【発明の効果】
【０００９】
本発明の表示装置によれば、隣接する２つの表示画面を有する表示部を備え、右目用および左目用の２枚の撮影画像からなる３次元表示用の撮影画像のうち、一方の撮影画像を一方の表示画面、他方の撮影画像を他方の表示画面にそれぞれ表示し、両表示画面を結合させて表示する光学系を介して被写体の３次元表示を可能とし、表示部を回転軸の回りに９０°回転可能とし、２つの表示画面が上下方向に隣接した場合と左右方向に隣接した場合とで３次元表示と２次元表示とを切り換えるようにした表示装置であって、表示部の背面に設けられた第２の回転軸に軸支されたロック用レバーと、このロック用レバーの一端に設けられ、表示部から外方に突出したロック操作部と、ロック用レバーの他端に設けられたロック部と、表示部を回転支持する回転支持機構の一部に係合する係合部とを備えたことにより、ロック用レバーを介してロック部を係合部に係合させること、またはロック操作部を表示部から外方に突出させることで表示部の回転が阻止され、表示中の表示部を安定して保持することができる。
【図面の簡単な説明】
【００１０】
【図１】放射線画像撮影表示システムの概略構成図
【図２】放射線撮影装置の一部正面図
【図３】２つの表示画面が上下方向に隣接した放射線画像表示装置の概略構成図
【図４】モニタの背面図
【図５】モニタの側面図
【図６】２つの表示画面が左右方向に隣接した放射線画像表示装置の概略構成図
【発明を実施するための形態】
【００１１】
以下、図面を参照して本発明に係る表示装置の一実施形態について説明する。図１は本発明の一実施形態である放射線画像表示装置を用いた放射線画像撮影表示システムの概略構成図である。この放射線画像撮影表示システム１は乳房Ｍの放射線画像を撮影して表示するものであり、図１に示すように、放射線画像撮影装置１０および放射線画像表示装置４０から構成されている。
【００１２】
最初に、放射線画像撮影装置１０について説明する。放射線画像撮影装置１０は、乳房Ｍに所定の撮影方向から放射線を照射することで２次元撮影または３次元撮影を行い、乳房Ｍの２次元表示用または３次元表示用の放射線画像Ｇを取得し、この放射線画像Ｇを格納した画像ファイルＧＦを放射線画像表示装置４０に送信するものである。
【００１３】
放射線画像撮影装置１０は、図１に示すように、基台１１と、基台１１に対して上下方向（Ｚ方向）に移動可能であり、且つ回転可能な回転軸１２と、回転軸１２により基台１１と連結されたアーム部１３とを備えている。
【００１４】
アーム部１３はＣの形をしており、その一端には撮影台１４が、その他端には撮影台１４と対向するように放射線照射部１６が取り付けられている。アーム部１３の回転および上下方向の移動は、基台１１に組み込まれたアームコントローラ３１により制御される。
【００１５】
撮影台１４の内部には、フラットパネルディテクタ等の放射線検出器１５と、放射線検出器１５からの電荷信号の読み出しを制御する検出器コントローラ３３が備えられている。また、撮影台１４の内部には、放射線検出器１５から読み出された電荷信号を電圧信号に変換するチャージアンプや、チャージアンプから出力された電圧信号をサンプリングする相関二重サンプリング回路や、電圧信号をデジタル信号に変換するＡ／Ｄ変換部等も設けられた回路基板等も備えられている。
【００１６】
また、撮影台１４はアーム部１３に対し回転可能に構成されているが、３次元撮影のときには基台１１に対してアーム部１３が回転した場合でも、撮影台１４の向きは基台１１に対し固定された向きにできる。
【００１７】
放射線検出器１５は、電荷信号の記録と読み出しを繰り返して行うことができるものであり、放射線の照射を直接受けて電荷を発生する、いわゆる直接型の放射線画像検出器を用いてもよいし、放射線を一旦可視光に変換し、その可視光を電気信号に変換する、いわゆる間接型の放射線画像の検出器を用いるようにしてもよい。
【００１８】
また、電荷信号の読出方式としては、ＴＦＴ（thin film transistor）スイッチをオン・オフさせることによって電荷信号が読み出される、いわゆるＴＦＴ読出方式のものを用いることが望ましいが、これに限らずその他のものを用いるようにしてもよい。
【００１９】
放射線照射部１６の内部には放射線源１７と、放射線源コントローラ３２が格納されている。放射線源コントローラ３２は、放射線源１７から放射線を照射するタイミングと、放射線源１７における放射線発生条件（管電流（ｍＡ）、照射時間（ｍｓ）、管電圧（ｋＶ）等）を制御するものである。
【００２０】
また、アーム部１３の中央部には、撮影台１４の上方に配置されて乳房Ｍを押さえつけて圧迫する圧迫板１８と、その圧迫板１８を支持する支持部２０と、支持部２０を上下方向（Ｚ方向）に移動させる移動機構１９とが設けられている。圧迫板１８の位置、圧迫厚は、圧迫板コントローラ３４により制御される。
【００２１】
制御部３０は、中央処理装置（ＣＰＵ）、半導体メモリやハードディスクやＳＳＤ等のストレージデバイス、入力部３０ａを備えている。制御部３０は、各種のコントローラ３１〜３４に対して所定の制御信号を出力し、放射線画像撮影装置１０の全体の制御を行うものである。
【００２２】
また、制御部３０は、２次元撮影または３次元撮影によって放射線検出器１５で検出された電荷信号に所定の信号処理を施した放射線画像信号に基づく放射線画像Ｇを記録し、画像ファイルＧＦに格納して放射線画像表示装置４０に送信する。
【００２３】
入力部３０ａは、たとえば、キーボードやマウス等のポインティングデバイスから構成されるものであり、２次元撮影または３次元撮影であるか、ＣＣ（頭尾方向）や、ＭＬＯ（内外斜位方向）等の撮影種類や、３次元撮影における、アーム部１３が放射線検出器１５の検出面１５ａに垂直な方向に対してなす角度である撮影角度θを含む撮影条件の入力や撮影開始の入力を受け付けるものである。
【００２４】
図２は放射線画像撮影装置１０の一部正面図である。放射線画像撮影装置１０の作用について、図１および図２を用いて説明する。まず、放射線画像撮影装置１０が乳房Ｍを２次元撮影する場合について説明する。撮影台１４の上に乳房Ｍが設置され、圧迫板１８により乳房Ｍを所定の圧力で圧迫する。
【００２５】
次に、入力部３０ａにおいて、撮影者による乳房Ｍの２次元撮影の指示が入力され、２次元撮影が開始する。制御部３０は入力された撮影種類を読み出し、撮影種類の情報をアームコントローラ３１に出力する。なお、本実施形態においては、撮影種類としてＣＣ（頭尾方向）が入力されたものとするが、特に限定されるものではない。
【００２６】
そして、アームコントローラ３１が、制御部３０から出力された撮影種類の情報を受け付け、図２の実線で示すような、アーム部１３が略垂直となるような制御信号を出力する。
【００２７】
そして、アームコントローラ３１が略垂直となった状態において、制御部３０は、放射線源コントローラ３２および検出器コントローラ３３に対して放射線の照射と２次元表示用の放射線画像（以下、２次元画像Ｇ２とする。）の読み出しを行う制御信号を出力する。
【００２８】
この制御信号に応じて、放射線源１７から放射線が照射され、乳房ＭをＣＣ（頭尾方向）で２次元撮影した放射線が放射線検出器２５によって検出され、検出器コントローラ３３によって放射線検出器２５から電荷信号が読み出される。この電荷信号に所定の信号処理を施した放射線画像信号に基づき、制御部３０は、乳房Ｍの２次元画像Ｇ２を記憶し、画像ファイルＧＦに２次元画像Ｇ２を格納して放射線画像表示装置４０に送信する。
【００２９】
次に放射線画像撮影装置１０が乳房Ｍを３次元撮影する場合について説明する。２次元撮影と同様に、撮影台１４の上に乳房Ｍが設置され、圧迫板１８により乳房Ｍが所定の圧力で圧迫される。
【００３０】
次に、入力部３０ａにおいて、撮影者による乳房Ｍの３次元撮影の指示が入力され、２次元撮影が開始する。制御部３０は入力された撮影種類を読み出し、撮影種類の情報をアームコントローラ３１に出力する。なお、本実施形態においては、撮影種類としてＣＣ（頭尾方向）が入力されたものとするが、特に限定されるものではない。
【００３１】
制御部３０は３次元撮影における互いに異なる２つの撮影角度θの組み合わせを読み出し、一方の撮影角度θの情報をアームコントローラ３１に出力する。本実施形態において、撮影角度θは、図２示すように時計回りを正方向、反時計回りを負方向とする。なお、本実施形態においては、撮影角度θ＝±２°が入力されたものとするが、特に限定されるものではない。
【００３２】
そして、アームコントローラ３１が、制御部３０から出力された撮影種類および撮影角度θ＝＋２°の情報を受け付け、アーム部１３が、図２に示すように、検出面１５ａに垂直な方向に対して＋２°傾くような制御信号を出力する。ここで、図１から明らかなように、回転軸２２は被写体の胸壁と略垂直であるため、放射線源１７は乳房Ｍの胸壁に対して略垂直な回転軸で回転する。
【００３３】
そして、アームコントローラ３１から出力された制御信号に応じてアーム部１３が＋２°傾いた状態において、制御部３０は、放射線源コントローラ３２および検出器コントローラ３３に対して放射線の照射と３次元表示用の放射線画像（以下、３次元画像Ｇ３とする。）を構成する右目用画像ＧＲの読み出しを行うよう制御信号を出力する。
【００３４】
この制御信号に応じて、放射線源１７が放射線を照射し、放射線検出器１５が照射された放射線を検出し、検出器コントローラ３３によって放射線検出器１５から電荷信号が読み出される。制御部３０が、この電荷信号に所定の信号処理を施した放射線画像信号に基づいて、右目用画像ＧＲを記憶する。
【００３５】
次に、アームコントローラ３１が、制御部３０から出力された撮影角度θ＝−２°の情報に基づき、アーム部１３が、図２に示すように、検出面１５ａに垂直な方向に対して−２°傾くような制御信号を出力する。
【００３６】
そして、アームコントローラ３１から出力された制御信号に応じてアーム部１３が左側に−２°傾いた状態において、制御部３０は、放射線源コントローラ３２および検出器コントローラ３３に対して放射線の照射と３次元画像Ｇ３を構成する左目用画像ＧＬの読み出しを行うよう制御信号を出力する。
【００３７】
この制御信号に応じて、放射線源１７が放射線を照射し、放射線検出器１５が照射された放射線を検出し、検出器コントローラ３３によって放射線検出器１５から電荷信号が読み出される。制御部３０は、この電気信号に所定の信号処理を施した放射線画像信号に基づいて、左目用画像ＧＬを記憶する。
【００３８】
制御部３０は、乳房Ｍの右目用画像ＧＲおよび左目用画像ＧＬを３次元画像Ｇ３として画像ファイルＧＦに格納して放射線画像表示装置４０に送信する。
【００３９】
次に放射線画像表示装置４０について説明する。放射線画像表示装置４０は、上下方向または左右方向に隣接可能な２つの表示画面４３ａ、４３ｂを有し、乳房Ｍの２次元表示または３次元表示が選択的に可能である。図３は、２つの表示画面４３ａ、４３ｂが上下方向に隣接した放射線画像表示装置４０の概略構成図である。
【００４０】
放射線画像表示装置４０は、図３に示すように、コンピュータ４１と、モニタ４２とから構成されている。コンピュータ４１には、本実施形態による表示装置として機能させるためのプログラムがインストールされている。
【００４１】
コンピュータ４１は、中央処理装置（ＣＰＵ）および半導体メモリやハードディスクやＳＳＤ等のストレージデバイス等を備えており、これらのハードウェアにより、制御部４１ａおよび表示制御部４１ｂを構成している。また、コンピュータ４１は不図示の入力手段を備えており、表示の開始の指示、２次元表示する２次元画像Ｇ２および３次元表示する３次元画像Ｇ３の予めの設定を受け付ける。
【００４２】
２次元画像Ｇ２の設定は、少なくとも１枚の２次元画像を設定すればよく、必ずしも２枚の２次元画像Ｇ２を設定する必要はない。２枚の２次元画像Ｇ２の設定としては、たとえば、同一乳房Ｍについての撮影日時の異なる２枚の２次元画像の組み合わせや、同一乳房Ｍについての撮影種類の異なる２枚の２次元画像の組み合わせや、３次元画像Ｇ３を構成する右目用画像ＧＲおよび左目用画像ＧＬを２次元画像の組み合わせとして設定してもよい。または、２枚の２次元画像Ｇ２の設定としては、異なる部位ついての２枚の２次元画像の組み合わせでもよい。設定に際しては、２枚の２次元画像Ｇ２を２つの表示画面のうち、どちらの表示画面に表示させるかについても予め設定する。
【００４３】
３次元表示する３次元画像Ｇ３の設定に際しては、２つの表示画面４３ａ、４３ｂに右目用画像ＧＲおよび左目用画像ＧＬをどちらの表示画面に表示させるのかを予め設定する。
【００４４】
制御部４１ａは、放射線画像撮影装置１０から画像ファイルＧＦを受信するとともに、コンピュータ４１の全体を制御をするものである。
【００４５】
表示制御部４１ｂは、２つの表示画面４３ａ、４３ｂの隣接方向βおよび２つの表示画面４３ａ、４３ｂのなす角度αに基づいて、モニタ４２に２次元画像Ｇ２を２次元表示させるか、３次元画像Ｇ３を３次元表示させるかを制御するものである。
【００４６】
図４はモニタ４２の背面図、図５はモニタ４２の側面図である。モニタ４２について図３ないし図５を用いて説明する。モニタ４２は、隣接した２つの表示画面４３ａ、４３ｂを有する表示部４３、基台４４、２つの表示画面４３ａ、４３ｂの間に設けられたハーフミラー４５、２つの表示画面４３ａ、４３ｂのなす角度αを可変にするヒンジ機構４６、表示部４３を基台４４に対して回転自在にする回転支持軸４７および表示部４３の背面に設けられた回転ロック機構５０から主に構成されている。なお、基台４４と回転支持軸４７とにより、回転支持機構を構成する。
【００４７】
モニタ４２は、２つの表示画面４３ａ、４３ｂの表示光を互いに直交する偏光とすることが可能である。これにより、観察者は、右目用画像ＧＲを観察する右目用偏光レンズと左目用画像ＧＬを観察する左目用偏光レンズを有する偏光メガネを装着し、左目用画像ＧＬおよび右目用画像ＧＲを左右の目でそれぞれ観察することで乳房Ｍを立体視できる。なお、２次元表示の際は各表示光を互いに直交する偏光にする必要はない。
【００４８】
ヒンジ機構４６は、表示画面４３ａが表示画面４３ｂに対して図３の矢印Ａ方向に回転することにより、２つの表示画面４３ａ、４３ｂが図中破線で示した平行となる姿勢と表示画面４３ａが表示画面４３ｂに対して傾いた姿勢とに変化するよう、２つの表示画面４３ａ、４３ｂのなす角度αを可変にするものである。表示部４３は、２つの表示画面４３ａ、４３ｂのなす角度αを検出する不図示の角度センサを内蔵している。
【００４９】
ハーフミラー４５は、表示画面４３ａが表示画面４３ｂに対して傾いた姿勢において、表示画面４３ａの表示光を、偏光を乱さず図中実線で示すように反射させ、表示画面４３ｂの表示光を、偏光を乱さず図中破線で示すように透過させる。これにより、ハーフミラー４５は、３次元表示する際に、右目用画像ＧＲと左目用画像ＧＬをハーフミラー４５上で所定の視差を有するように重ねて結合させ、乳房Ｍを３次元表示する。なお、本実施形態では、表示画面４３ａが右目用画像ＧＲ、表示画面４３ｂが左目用画像ＧＬを表示するものであるが、特に限定されるものではない。
【００５０】
また、ハーフミラー４５は、図３の矢印Ｂ方向に回転可能とすることにより、右目用画像ＧＲと左目用画像ＧＬの重なりの調整が可能である。また、ハーフミラー４５は、表示部４３に着脱自在に取り付けられている。
【００５１】
表示部４３は、観察者の回転操作により、図４の矢印Ｃ方向に回転自在である。観察者の回転操作により、２つの表示画面４３ａ、４３ｂの隣接方向βが図４に示すような上下方向または図６に示すような左右方向のいずれかに変化する。ここで、隣接方向βとは、図４および図６に示すように、ヒンジ機構４６を介して２つの表示画面４３ａ、４３ｂが隣接する方向である。また、表示部４３は、前述のとおり、２つの表示画面４３ａ、４３ｂのなす角度αを検出できるとともに、２つの表示画面４３ａ、４３ｂの隣接方向βをも検出できる角度センサをも内蔵している。なお、上記の角度センサは歪センサで構成してもよいし、ジャイロセンサ等で構成するものであってもよく、特に限定されるものではない。
【００５２】
回転ロック機構５０は、表示部４３が２つの表示画面４３ａ、４３ｂを左右方向に隣接させて２次元表示する際または上下方向に隣接させて３次元表示する際に表示部４３を安定して保持するものである。
【００５３】
回転ロック機構５０は、表示部の背面に設けられたロック用回転軸５１と、このロック用回転軸５１に回転自在に軸支されたロック用レバー５２と、ロック用レバー５２の一端に球面ジョイントを介して結合されることで表示部４３の背面上を摺動可能であり、且つその一部が表示部４３から外方に突出しているロック操作部５３と、ロック操作部５３の一部を覆い、ロック操作部５３を図中矢印Ｄ方向に示す所定方向に摺動可能とするハウジング５４と、ロック用レバー５２の他端に設けられ、基台４４の切欠状の係合部４４ａに係合するロック部５５とから構成されている。ハウジンング５４には、ロック用レバー５３の位置を検出する不図示のリミットスイッチが内蔵されている。
【００５４】
次に放射線画像表示装置４０の作用について説明する。制御部４１ａは、観察者による表示開始の指示および２次元画像Ｇ２および３次元画像Ｇ３の予めの設定を受け付ける。本実施形態では、２次元画像として撮影方向が同一の左右の乳房Ｍの２次元画像Ｇ２が設定されたものとするが、特に限定されるものではない。
【００５５】
観察者は、必要に応じて、回転ロック機構５０による表示部４３の保持を解除し、２つの表示画面４３ａ、４３ｂが上下方向または左右方向のいずれかの隣接するよう、表示部４３を回転させ、再び回転ロック機構５０によって表示部４３を保持させる。なお、回転ロック機構５０による表示部４３の保持および解除については後述する。
【００５６】
そして、観察者からの表示開始の指示があると、表示制御部４１ｂが、表示部４３に内蔵された２つの表示画面４３ａ、４３ｂのなす角度αおよび隣接方向βに関する情報を入手する。表示制御部４１ｂは、２つの表示画面４３ａ、４３ｂのなす角度αが所定の角度であり、且つ２つの表示画面４３ａ、４３ｂの隣接方向βが上下方向である場合、表示部４３に３次元画像Ｇ３を表示させる。
【００５７】
本実施形態において、表示制御部４１ｂは、上下方向に隣接した２つの表示画面４３ａ、４３ｂのなす角度αが１００°程度である場合に予め設定された３次元画像Ｇ３を３次元表示させる。表示部４３は、図３に示すように、各乳房Ｍが鏡像関係を有し、且つ胸壁ＭＷが水平となる状態で左目用画像ＧＬおよび右目用画像ＧＲを表示する。
【００５８】
ここで、胸壁ＭＷが水平方向となるように表示するのは、前述のとおり、３次元画像Ｇ３は胸壁ＭＷと略垂直な回転軸２で放射線源１７を回転させて撮影したものであり、視差方向に合わせて表示するためである。
【００５９】
そして、表示制御部４１ｂは、２つの表示画面４３ａ、４３ｂの隣接方向βが左右方向である場合に、表示部４３に２次元画像Ｇ２を表示させる。
【００６０】
本実施形態において、表示制御部４１ｂは、左右の乳房Ｍの２次元画像Ｇ２を図６に示すように、胸壁ＭＷを垂直方向とし、左右の乳房Ｍを胸壁ＭＷ合わせとなるよう、表示部４３に２次元画像Ｇ２を２次元表示させる。また、２次元表示の際には、観察し易くするために、２つの表示画面４３ａ、４３ｂが平行となるようにしてもよい。また、ハーフミラー４５は表示部４３から取り外してもよく、若しくは図６の破線で示すように視線と平行な方向な向きとしてもよい。
【００６１】
このように、表示制御部４１ｂは、３次元表示中の表示部４３が、観察者の操作により、２つの表示画面４３ａ、４３ｂが左右方向に隣接した場合に、表示部４３の３次元表示を２次元表示へ切り換える。また、２次元表示中の表示部が、観察者の操作により、２つの表示画面４３ａ、４３ｂが所定角度であり、且つ上下方向に隣接する場合、表示部４３の２次元表示を３次元表示に切り換える。
【００６２】
次に回転ロック機構５０の作用について説明する。２つの表示画面４３ａ、４３ｂが所定角度をなし、且つ上下方向に隣接する場合、ロック部５５が係合部４４ａに係合することにより、表示部４３の回転が阻止される。これにより、２つの表示画面４３ａ、４３ｂが所定の角度をなし、且つ上下方向に隣接した姿勢で表示部４３が保持される。ロック部５５と係合部４４ａとはマグネットで固定されているものとするが、特に限定されるものではない。また、表示制御部４１ｂはハウジング５４内の不図示のリミットスイッチからの情報により、ロック部５５が係合部４４ａと係合しているか否かを確認し、係合していない場合は警告画面を表示させる。また、ロック用回転軸５１に付勢用のネジリコイルバネを設けても良い。
【００６３】
そして、観察者がロック操作部５３を図４中の矢印Ｄ方向に操作すると、ロック用レバー５２がロック用回転軸５１の回りに回転し、ロック部５５が係合部から外れる。観察者がロック操作部５３をさらに操作することにより、表示部４３は図３中の矢印Ｃ方向に回転支持軸４７回りに回転する。
【００６４】
そして、２つの表示画面４３ａ、４３ｂが左右方向に隣接した姿勢になると、ロック用操作部５３の表示部４３から外方に突出した部分が、図６に示すように、基台４４の一部に当接して脚部となることにより、表示部４３の回転が阻止される。これにより、２つの表示画面４３ａ、４３ｂが左右方向に隣接した姿勢で表示部４３が保持される。また、基台４４のロック用操作部５３が当接する部分には不図示のリミットスイッチが設けられており、表示制御部４１ｂは、この不図示のリミットスイッチからの情報によりロック用操作部５３が基台４４と当接しているか否かを確認し、当接していない場合は警告画面を表示する。
【００６５】
そして、２つの表示画面４３ａ、４３ｂが上下方向に隣接するように、再び表示部４３を回転支持軸４７回りに回転させ、２つの表示画面４３ａ、４３ｂが上下方向に隣接した姿勢になると、ロック部５５が係合部４４ａに係合する。本実施形態では、２つの表示画面４３ａ、４３ｂが平行な姿勢で２次元表示した場合は、表示部４３を回転させる前に、２つの表示画面４３ａ、４３ｂのなす角度αが所定角度となるように調整しておくものとする。
【００６６】
以上の述べたとおり、本発明の一実施形態である放射線画像表示装置４０によれば、表示部４３の背面に設けられたロック用回転軸５１に軸支されたロック用レバー５２と、ロック用レバー５２の一端に設けられ、表示部４３から外方に突出したロック操作部５３と、ロック用レバー５２の他端に設けられたロック部５５と、基台４４にロック部５５と係合する係合部４４ａを設けることにより、２つの表示画面４３ａ、４３ｂが上下方向に隣接している場合は、ロック部５５が係合部４４ａと係合することで表示部４３の回転を阻止されるとともに、表示部４３、４３ｂが左右方向に隣接している場合は、ロック用操作部５３が表示部４３から外方に突出していることで表示部４３の回転を阻止されるため、２次元表示中または３次元表示中の表示部４３を安定して支持できる。
【００６７】
また、本発明の一実施形態である放射線画像表示装置によれば、２つの表示画面４３ａ、４３ｂが左右方向に隣接している場合は、表示部４３から外方に突出しているロック用操作部５３が基台４４の一部に当接する脚部となるため、２次元表示中により安定して表示部４３を支持できる。
【００６８】
なお、本実施形態において、放射線画像表示装置４０は乳房Ｍを表示するものとして説明したが特に限定されるものではなく、肺や胃等の部位を表示するものであってもよい。
【００６９】
なお、本実施形態においては、本発明に係る表示装置として放射線医用画像として説明したが、特に限定されるものではなく、通常のデジタルカメラ等で撮影された撮影画像を表示する表示装置であってもよい。
【符号の説明】
【００７０】
Ｇ２，Ｇ３      撮影画像
Ｍ              乳房
４３            表示部
４３ａ，４３ｂ  表示画面
４４            基台
４４ａ          係合部
４５            ハーフミラー
４７            回転支持軸
５１            ロック用回転軸
５２            ロック用レバー
５３            ロック操作部
５５            ロック部
【図１】
2012095728.tif 000003
【図２】
2012095728.tif 000004
【図３】
2012095728.tif 000005
【図４】
2012095728.tif 000006
【図５】
2012095728.tif 000007
【図６】
2012095728.tif 000008